(57)【要約】      （修正有）【課題】詰替用液体袋の交換が容易且つ確実に行うことが可能であり、しかも極めて簡素な構成で低コストな液体取出装置を提供する。【解決手段】液体を収納した詰替用液体袋２と、詰替用液体袋の口部２１に装着される液体の吸引・注出手段であるポンプ体３と、ポンプ体に取り付けられてポンプ体の吸引部に連通すると共に詰替用液体袋の内部に挿通配設される吸引管４と、を有して成り、ポンプ体の動作によって前記詰替用液体袋内の液体を吸引・注出するに従って、詰替用液体袋内の負圧化に伴って収縮（縮小）していく構成のエアレスタイプの液体取出装置１において、詰替用液体袋の口部への前記ポンプ体の装着構成が、ポンプ体の少なくとも一部が前記口部に挿通された状態であり、この挿通された部分の外周面が口部の内周面に密接して液密・気密状態と成る構成である。【選択図】図１
2019142571.tif 000002
【特許請求の範囲】
【請求項１】
液体を収納した詰替用液体袋と、該詰替用液体袋の口部に装着される液体の吸引・注出手段であるポンプ体と、該ポンプ体に取り付けられて該ポンプ体の吸引部に連通すると共に前記詰替用液体袋の内部に挿通配設される吸引管と、を有して成り、
前記ポンプ体の動作によって前記詰替用液体袋内の液体を吸引・注出するに従って、前記詰替用液体袋内の負圧化に伴って収縮（縮小）していく構成のエアレスタイプの液体取出装置において、
前記詰替用液体袋の口部への前記ポンプ体の装着構成が、該ポンプ体の少なくとも一部が前記口部に挿通された状態であり、この挿通された部分の外周面が前記口部の内周面に密接して液密・気密状態と成る構成であること、
を特徴とする詰替用液体袋を用いた液体取出装置。
【請求項２】
前記ポンプ体の前記口部に挿通された部分の外周面が、前記口部の内周面に密接して液密・気密状態と成る構成であることを特徴とする請求項１に記載の詰替用液体袋を用いた液体取出装置。
【請求項３】
前記ポンプ体の少なくとも一部と共に前記ポンプ体に取り付けられた吸引管の少なくとも一部が前記口部に挿通された状態であり、前記吸引管の前記口部に挿通された部分の外周面が、前記口部の内周面に密接して液密・気密状態と成る構成であることを特徴とする請求項１に記載の詰替用液体袋を用いた液体取出装置。
【請求項４】
前記詰替用液体袋が、外容器に収納された状態、又は、ホルダー容器に保持された状態で用いられる構成であることを特徴とする請求項１〜３のいずれかに記載の詰替用液体袋を用いた液体取出装置。
【請求項５】
前記外容器が、前記詰替用液体袋を収納する外容器本体部と、該外容器本体部の蓋体である外容器蓋体部と、を有して成り、
前記ポンプ体が前記外容器蓋体部の上面側部分に取り付けられた状態であると共に前記詰替用液体袋の口部が前記外容器蓋体部の下面側部分に取り付けられた状態で用いられる構成であること、
を特徴とする請求項４に記載の詰替用液体袋を用いた液体取出装置。
【請求項６】
前記詰替用液体袋の口部の外周に鍔状の係合部が設けられており、この係合部の鍔状の部分が前記口部の開口方向に直交する方向からスライドして係合する被係合部が前記外容器蓋体部の下面側部分に設けられた構成であることを特徴とする請求項５に記載の詰替用液体袋を用いた液体取出装置。
【請求項７】
前記詰替用液体袋の口部の外周に螺合部が設けられており、この螺合部が螺合する被螺合部が前記外容器蓋体部の下面側部分に設けられた構成であることを特徴とする請求項５に記載の詰替用液体袋を用いた液体取出装置。
【請求項８】
前記詰替用液体袋の口部の外周に回動係止部が設けられており、この回動係止部が係止する被回動係止部が前記外容器蓋体部の下面側部分に設けられた構成であることを特徴とする請求項５に記載の詰替用液体袋を用いた液体取出装置。
【請求項９】
前記詰替用液体袋の口部が嵌合する被嵌合部が前記外容器蓋体部の下面側部分に設けられた構成であることを特徴とする請求項５に記載の詰替用液体袋を用いた液体取出装置。
【請求項１０】
前記ポンプ体が、前記外容器蓋体部の上面側部分に螺合取付された状態となる構成であることを特徴とする請求項５〜９のいずれかに記載の詰替用液体袋を用いた液体取出装置。
【請求項１１】
前記ホルダー容器が、風呂床や洗面台に載置する台座部と、該台座部から立設する立設部と、前記台座部の上方に位置するように前記立設部の上部に連設された保持取付部と、を有して成り、
前記ポンプ体が前記保持取付部の上面側部分に取り付けられた状態であると共に前記詰替用液体袋の口部が前記保持取付部の下面側部分に取り付けられた状態で用いられる構成であること、
を特徴とする請求項４に記載の詰替用液体袋を用いた液体取出装置。
【請求項１２】
前記詰替用液体袋の口部の外周に鍔状の係合部が設けられており、この係合部の鍔状の部分が係合する切欠状の被係合部が前記保持取付部に設けられており、係合部を被係合部の開口方向からスライドして係合させることにより前記保持取付部の下面側部分に前記詰替用液体袋の口部が取付可能な構成であることを特徴とする請求項１１に記載の詰替用液体袋を用いた液体取出装置。
【請求項１３】
前記詰替用液体袋の口部の外周に螺合部が設けられており、この螺合部が螺合する被螺合部が前記保持取付部の下面側部分に設けられた構成であることを特徴とする請求項１１に記載の詰替用液体袋を用いた液体取出装置。
【請求項１４】
前記詰替用液体袋の口部の外周に回動係止部が設けられており、この回動係止部が係止する被回動係止部が前記保持取付部の下面側部分に設けられた構成であることを特徴とする請求項１１に記載の詰替用液体袋を用いた液体取出装置。
【請求項１５】
前記詰替用液体袋の口部が嵌合する被嵌合部が前記保持取付部の下面側部分に設けられた構成であることを特徴とする請求項１１に記載の詰替用液体袋を用いた液体取出装置。
【請求項１６】
前記ポンプ体が、前記保持取付部の上面側部分に螺合取付された状態となる構成であることを特徴とする請求項１１〜１５のいずれかに記載の詰替用液体袋を用いた液体取出装置。
【請求項１７】
前記詰替用液体袋の口部が口部蓋体で閉塞されており、
この口部蓋体が、可撓性を有する合成樹脂製であり、前記口部の縁に止着される口部蓋体本体部と、該口部蓋体本体部と一体構成であり且つ前記口部の開口を被覆する口部蓋体被覆膜部と、を有して成り、
該口部蓋体被覆膜部が、破断乃至は穿孔により開栓された状態となる薄膜構成であることを特徴とする請求項１〜１６のいずれかに記載の詰替用液体袋を用いた液体取出装置。
【請求項１８】
前記口部蓋体がポリエチレン製であることを特徴とする請求項１７に記載の詰替用液体袋を用いた液体取出装置。
【請求項１９】
前記口部蓋体被覆膜部の厚みが０．６ｍｍ以下であることを特徴とする請求項１７又は１８に記載の詰替用液体袋を用いた液体取出装置。
【請求項２０】
前記詰替用液体袋の口部が口部蓋体で閉塞されており、
この口部蓋体が、可撓性を有する合成樹脂製であり、前記口部の縁に止着される口部蓋体本体部と、該口部蓋体本体部に固着された状態で前記口部の開口を被覆する口部蓋体被覆膜部と、を有して成り、
該口部蓋体被覆膜部が、破断乃至は穿孔により開栓された状態となる薄膜構成であることを特徴とする請求項１〜１６のいずれかに記載の詰替用液体袋を用いた液体取出装置。
【請求項２１】
前記口部蓋体本体部がポリエチレン製であることを特徴とする請求項２０に記載の詰替用液体袋を用いた液体取出装置。
【請求項２２】
前記口部蓋体被覆膜部が未延伸ナイロンフィルムとポリオレフィン系樹脂フィルムを含む積層フィルムで構成されていることを特徴とする請求項２０又は２１に記載の詰替用液体袋を用いた液体取出装置。
【請求項２３】
前記口部蓋体被覆膜部の厚みが０．１ｍｍ以下であることを特徴とする請求項２０〜２２のいずれかに記載の詰替用液体袋を用いた液体取出装置。
【請求項２４】
該口部蓋体が、前記詰替用液体袋の口部に止着された状態のまま液体取出装置に用いられて前記吸引管が突き刺されて開栓された状態となる構成であることを特徴とする請求項１７〜２３のいずれかに記載の詰替用液体袋を用いた液体取出装置。
【請求項２５】
前記詰替用液体袋の口部が該口部に固着した口部被覆膜部により閉塞されており、
該口部被覆膜部が、破断乃至は穿孔により開栓された状態となる薄膜構成であることを特徴とする請求項１〜１６のいずれかに記載の詰替用液体袋を用いた液体取出装置。
【請求項２６】
前記口部被覆膜部が未延伸ナイロンフィルムとポリオレフィン系樹脂フィルムを含む積層フィルムで構成されていることを特徴とする請求項２５に記載の詰替用液体袋を用いた液体取出装置。
【請求項２７】
前記口部被覆膜部の厚みが０．１ｍｍ以下であることを特徴とする請求項２５又は２６に記載の詰替用液体袋を用いた液体取出装置。
【請求項２８】
該口部被覆膜部が、前記詰替用液体袋の口部に固着された状態のまま液体取出装置に用いられて前記吸引管が突き刺されて開栓された状態となる構成であることを特徴とする請求項２５〜２７のいずれかに記載の詰替用液体袋を用いた液体取出装置。
【請求項２９】
前記詰替用液体袋の口部の内側、又は、この口部に挿通される前記ポンプ体の少なくとも一部の外側に、筒状部材が挿通されており、この筒状部材の外周面と前記口部の内周面とが密接すると共に、この筒状部材の内周面と前記ポンプ体の少なくとも一部の外周面とが密接する構成によって液密・気密状態と成る構成であること、を特徴とする請求項１〜２８のいずれかに記載の詰替用液体袋を用いた液体取出装置。
【発明の詳細な説明】
【技術分野】
【０００１】
本発明は詰替用液体袋を用いた液体取出装置に関し、詳しくは可撓性の液体袋に充填された液体を吸引・注出するエアレスタイプの液体の取出装置に関する。
【背景技術】
【０００２】
可撓性を有する液体袋に充填された液体をポンプ手段により吸引・注出するに従って前記液体袋内の負圧化に伴って収縮（縮小）していく構成のエアレスタイプの液体取出装置では、液体袋内の液体を使い切った後は空になった液体袋のみを廃棄し、外容器に新規の詰替用液体袋を収納してポンプ体を装着することにより、ポンプ体・外容器については繰り返し利用することにより省資源化と低コスト化を図っている。
【０００３】
新規の詰替用液体袋にポンプ体を装着する際、詰替用液体袋の口部にポンプ体は液密・気密状態で確実に装着される必要があるが、特に高齢者等においては容易ならざる場合が多いため、容易に且つ確実に装着を行うことができる技術が望まれ、当該技術について様々な構成・方法を有する技術が種々提案されている（例えば、特許文献１、２等参照）。
【先行技術文献】
【特許文献】
【０００４】
【特許文献１】特許３４１１２７０
【特許文献２】特許４１５７９８４
【発明の概要】
【発明が解決しようとする課題】
【０００５】
特許文献１、２に記載の技術は、液体袋の口部の内側奥部に該口部の閉塞・開放機構を配して該口部を閉塞すると共に、ポンプ体等の吸液管の先端に前記を前記口部に挿入して前記閉塞・開放機構を押圧解除することにより前記口部を液密・気密状態を確保した状態で開通可能な構成を有している。
【０００６】
しかし特許文献１、２に記載の技術では、前記した口部の閉塞・開放機構の構成が複雑でありコスト高であるため、液体袋のみであっても単価が高くなり低コストとは言い難いという問題点を有している。
【０００７】
また、前記した口部の閉塞・開放機構は液体袋の内部において少なくない占有体積を必要とするため、液体袋の内部の通液路構成の自由度を阻害する場合があり、充填された液体の注出時に全量を使い切ることができない場合があるという問題点を有している。
【０００８】
更に、ポンプ体の吸液管についても、前記した閉塞・開放機構の押圧解除を行うための専用構成であるため高コスト化を招くという問題点を有している。
【０００９】
そこで本発明の目的は、詰替用液体袋の交換が容易且つ確実に行うことが可能であり、しかも極めて簡素な構成で低コストな詰替用液体袋を用いた液体取出装置を提供することにある。
【課題を解決するための手段】
【００１０】
上記課題を解決する本発明は、下記構成を有する。
【００１１】
１．液体を収納した詰替用液体袋と、該詰替用液体袋の口部に装着される液体の吸引・注出手段であるポンプ体と、該ポンプ体に取り付けられて該ポンプ体の吸引部に連通すると共に前記詰替用液体袋の内部に挿通配設される吸引管と、を有して成り、
前記ポンプ体の動作によって前記詰替用液体袋内の液体を吸引・注出するに従って、前記詰替用液体袋内の負圧化に伴って収縮（縮小）していく構成のエアレスタイプの液体取出装置において、
前記詰替用液体袋の口部への前記ポンプ体の装着構成が、該ポンプ体の少なくとも一部が前記口部に挿通された状態であり、この挿通された部分の外周面が前記口部の内周面に密接して液密・気密状態と成る構成であること、
を特徴とする詰替用液体袋を用いた液体取出装置。
【００１２】
２．前記ポンプ体の前記口部に挿通された部分の外周面が、前記口部の内周面に密接して液密・気密状態と成る構成であることを特徴とする上記１に記載の詰替用液体袋を用いた液体取出装置。
【００１３】
３．前記ポンプ体の少なくとも一部と共に前記ポンプ体に取り付けられた吸引管の少なくとも一部が前記口部に挿通された状態であり、前記吸引管の前記口部に挿通された部分の外周面が、前記口部の内周面に密接して液密・気密状態と成る構成であることを特徴とする上記１に記載の詰替用液体袋を用いた液体取出装置。
【００１４】
４．前記詰替用液体袋が、外容器に収納された状態、又は、ホルダー容器に保持された状態で用いられる構成であることを特徴とする上記１〜３のいずれかに記載の詰替用液体袋を用いた液体取出装置。
【００１５】
５．前記外容器が、前記詰替用液体袋を収納する外容器本体部と、該外容器本体部の蓋体である外容器蓋体部と、を有して成り、
前記ポンプ体が前記外容器蓋体部の上面側部分に取り付けられた状態であると共に前記詰替用液体袋の口部が前記外容器蓋体部の下面側部分に取り付けられた状態で用いられる構成であること、
を特徴とする上記４に記載の詰替用液体袋を用いた液体取出装置。
【００１６】
６．前記詰替用液体袋の口部の外周に鍔状の係合部が設けられており、この係合部の鍔状の部分が前記口部の開口方向に直交する方向からスライドして係合する被係合部が前記外容器蓋体部の下面側部分に設けられた構成であることを特徴とする上記５に記載の詰替用液体袋を用いた液体取出装置。
【００１７】
７．前記詰替用液体袋の口部の外周に螺合部が設けられており、この螺合部が螺合する被螺合部が前記外容器蓋体部の下面側部分に設けられた構成であることを特徴とする上記５に記載の詰替用液体袋を用いた液体取出装置。
【００１８】
８．前記詰替用液体袋の口部の外周に回動係止部が設けられており、この回動係止部が係止する被回動係止部が前記外容器蓋体部の下面側部分に設けられた構成であることを特徴とする上記５に記載の詰替用液体袋を用いた液体取出装置。
【００１９】
９．前記詰替用液体袋の口部が嵌合する被嵌合部が前記外容器蓋体部の下面側部分に設けられた構成であることを特徴とする上記５に記載の詰替用液体袋を用いた液体取出装置。
【００２０】
１０．前記ポンプ体が、前記外容器蓋体部の上面側部分に螺合取付された状態となる構成であることを特徴とする上記５〜９のいずれかに記載の詰替用液体袋を用いた液体取出装置。
【００２１】
１１．前記ホルダー容器が、風呂床や洗面台に載置する台座部と、該台座部から立設する立設部と、前記台座部の上方に位置するように前記立設部の上部に連設された保持取付部と、を有して成り、
前記ポンプ体が前記保持取付部の上面側部分に取り付けられた状態であると共に前記詰替用液体袋の口部が前記保持取付部の下面側部分に取り付けられた状態で用いられる構成であること、
を特徴とする上記４に記載の詰替用液体袋を用いた液体取出装置。
【００２２】
１２．前記詰替用液体袋の口部の外周に鍔状の係合部が設けられており、この係合部の鍔状の部分が係合する切欠状の被係合部が前記保持取付部に設けられており、係合部を被係合部の開口方向からスライドして係合させることにより前記保持取付部の下面側部分に前記詰替用液体袋の口部が取付可能な構成であることを特徴とする上記１１に記載の詰替用液体袋を用いた液体取出装置。
【００２３】
１３．前記詰替用液体袋の口部の外周に螺合部が設けられており、この螺合部が螺合する被螺合部が前記保持取付部の下面側部分に設けられた構成であることを特徴とする上記１１に記載の詰替用液体袋を用いた液体取出装置。
【００２４】
１４．前記詰替用液体袋の口部の外周に回動係止部が設けられており、この回動係止部が係止する被回動係止部が前記保持取付部の下面側部分に設けられた構成であることを特徴とする上記１１に記載の詰替用液体袋を用いた液体取出装置。
【００２５】
１５．前記詰替用液体袋の口部が嵌合する被嵌合部が前記保持取付部の下面側部分に設けられた構成であることを特徴とする上記１１に記載の詰替用液体袋を用いた液体取出装置。
【００２６】
１６．前記ポンプ体が、前記保持取付部の上面側部分に螺合取付された状態となる構成であることを特徴とする上記１１〜１５のいずれかに記載の詰替用液体袋を用いた液体取出装置。
【００２７】
１７．前記詰替用液体袋の口部が口部蓋体で閉塞されており、
この口部蓋体が、可撓性を有する合成樹脂製であり、前記口部の縁に止着される口部蓋体本体部と、該口部蓋体本体部と一体構成であり且つ前記口部の開口を被覆する口部蓋体被覆膜部と、を有して成り、
該口部蓋体被覆膜部が、破断乃至は穿孔により開栓された状態となる薄膜構成であることを特徴とする上記１〜１６のいずれかに記載の詰替用液体袋を用いた液体取出装置。
【００２８】
１８．前記口部蓋体がポリエチレン製であることを特徴とする上記１７に記載の詰替用液体袋を用いた液体取出装置。
【００２９】
１９．前記口部蓋体被覆膜部の厚みが０．６ｍｍ以下であることを特徴とする上記１７又は１８に記載の詰替用液体袋を用いた液体取出装置。
【００３０】
２０．前記詰替用液体袋の口部が口部蓋体で閉塞されており、
この口部蓋体が、可撓性を有する合成樹脂製であり、前記口部の縁に止着される口部蓋体本体部と、該口部蓋体本体部に固着された状態で前記口部の開口を被覆する口部蓋体被覆膜部と、を有して成り、
該口部蓋体被覆膜部が、破断乃至は穿孔により開栓された状態となる薄膜構成であることを特徴とする上記１〜１６のいずれかに記載の詰替用液体袋を用いた液体取出装置。
【００３１】
２１．前記口部蓋体本体部がポリエチレン製であることを特徴とする上記２０に記載の詰替用液体袋を用いた液体取出装置。
【００３２】
２２．前記口部蓋体被覆膜部が未延伸ナイロンフィルムとポリオレフィン系樹脂フィルムを含む積層フィルムで構成されていることを特徴とする上記２０又は２１に記載の詰替用液体袋を用いた液体取出装置。
【００３３】
２３．前記口部蓋体被覆膜部の厚みが０．１ｍｍ以下であることを特徴とする上記２０〜２２のいずれかに記載の詰替用液体袋を用いた液体取出装置。
【００３４】
２４．該口部蓋体が、前記詰替用液体袋の口部に止着された状態のまま液体取出装置に用いられて前記吸引管が突き刺されて開栓された状態となる構成であることを特徴とする上記１７〜２３のいずれかに記載の詰替用液体袋を用いた液体取出装置。
【００３５】
２５．前記詰替用液体袋の口部が該口部に固着した口部被覆膜部により閉塞されており、
該口部被覆膜部が、破断乃至は穿孔により開栓された状態となる薄膜構成であることを特徴とする上記１〜１６のいずれかに記載の詰替用液体袋を用いた液体取出装置。
【００３６】
２６．前記口部被覆膜部が未延伸ナイロンフィルムとポリオレフィン系樹脂フィルムを含む積層フィルムで構成されていることを特徴とする上記２５に記載の詰替用液体袋を用いた液体取出装置。
【００３７】
２７．前記口部被覆膜部の厚みが０．１ｍｍ以下であることを特徴とする上記２５又は２６に記載の詰替用液体袋を用いた液体取出装置。
【００３８】
２８．該口部被覆膜部が、前記詰替用液体袋の口部に固着された状態のまま液体取出装置に用いられて前記吸引管が突き刺されて開栓された状態となる構成であることを特徴とする上記２５〜２７のいずれかに記載の詰替用液体袋を用いた液体取出装置。
【００３９】
２９．  前記詰替用液体袋の口部の内側、又は、この口部に挿通される前記ポンプ体の少なくとも一部の外側に、筒状部材が挿通されており、この筒状部材の外周面と前記口部の内周面とが密接すると共に、この筒状部材の内周面と前記ポンプ体の少なくとも一部の外周面とが密接する構成によって液密・気密状態と成る構成であること、を特徴とする上記１〜２８のいずれかに記載の詰替用液体袋を用いた液体取出装置。
【発明の効果】
【００４０】
請求項１に示す発明によれば、詰替用液体袋の交換が容易且つ確実に行うことが可能であり、しかも極めて簡素な構成で低コストな詰替用液体袋を用いた液体取出装置を提供することができる。
【００４１】
特に、ポンプ体の一部の外周面に詰替用液体袋の口部の内周面が密接する構成により、容易且つ確実に液密・気密状態での液体注出を行うことができる。詰替用液体袋の口部は、内側や内側奥部に特定の構成を配設する等の複雑な構造を採る必要がなく、単に口部の内周面を該口部にポンプ体を挿通した際に該ポンプ体の一部の外周面に密接するように構成すればよいので、極めて低コストに提供可能である。
【００４２】
請求項２に示す発明によれば、詰替用液体袋の口部へのポンプ体の挿通部分の外周面と、この挿通部分が挿通される口部の内周面と、が密接するように構成するだけで液密・気密構成を得ることができる。特に、ポンプ体については従来品を用い、詰替用液体袋の口部を前記ポンプ体と液密・気密構成となるように形成することで、より低コスト化を図ることができる。
【００４３】
請求項３に示す発明によれば、ポンプ体に取り付けられる吸液管の口部への挿通部分の外周面と、この挿通部分が挿通される口部の内周面と、が密接するように構成するだけで液密・気密構成を得ることができる。特に、吸液管については従来品を用い、詰替用液体袋の口部を前記吸液管と液密・気密構成となるように形成することで、より低コスト化を図ることができる。
【００４４】
請求項４に示す発明によれば、詰替用液体袋が軟質製のものであっても、安定した自立状態で液体の注出を行うことができる。
【００４５】
請求項５に示す発明によれば、詰替用液体袋の収納が容易であると共に、装飾等の付加が容易に可能である。
【００４６】
請求項６、７、８、９に示す発明によれば、詰替用液体袋の口部を外容器に極めて容易に取り付けることができる。
【００４７】
請求項１０に示す発明によれば、ポンプ体を外容器に容易に取り付けることができる。
【００４８】
請求項１１に示す発明によれば、詰替用液体袋の保持が容易である。
【００４９】
請求項１２、１３、１４、１５に示す発明によれば、詰替用液体袋の口部をホルダー容器に極めて容易に取り付けることができる。
【００５０】
請求項１６に示す発明によれば、ポンプ体をホルダー容器に容易に取り付けることができる。
【００５１】
請求項１７に示す発明によれば、詰替用液体袋を交換する際の開栓時に、該詰替用液体袋内の液体の空気接触を防ぐことができるので、品質低下を抑制することができる。詰替用液体袋の口部を閉塞した口部蓋体は、取り除くことなく被覆膜部を破断乃至は穿孔することで開栓することができる。
【００５２】
請求項１８に示す発明によれば、低コストで製造可能であるだけでなく、液体取出装置のポンプ体に連通する吸引管を被覆膜部に突き刺した際、この吸引管の外周面に被覆膜部の穿孔の周囲部分が密着することになり、この穿孔部分からの液漏れや空気侵入がなく、安定した吸引吐出と品質保持が可能である。
【００５３】
請求項１９に示す発明によれば、液体取出装置のポンプ体に連通する吸引管を被覆膜部に突き刺す際に、容易且つ確実に穿孔することができる。
【００５４】
請求項２０に示す発明によれば、詰替用液体袋を交換する際の開栓時に、該詰替用液体袋内の液体の空気接触を防ぐことができるので、品質低下を抑制することができる。詰替用液体袋の口部を閉塞した口部蓋体は、取り除くことなく被覆膜部を破断乃至は穿孔することで開栓することができる。
【００５５】
請求項２１に示す発明によれば、液体取出装置のポンプ体に連通する吸引管を被覆膜部に突き刺した際、この吸引管の外周面に被覆膜部の穿孔の周囲部分が密着することになり、この穿孔部分からの液漏れや空気侵入がなく、安定した吸引吐出と品質保持が可能である。
【００５６】
請求項２２に示す発明によれば、液密性及び気密性の保持が容易である。
【００５７】
請求項２３に示す発明によれば、液体取出装置のポンプ体に連通する吸引管を被覆膜部に突き刺す際に、容易且つ確実に穿孔することができる。
【００５８】
請求項２４に示す発明によれば、詰替用液体袋を交換する際の開栓時に、該詰替用液体袋内の液体の空気接触を防ぐことができるので、品質低下を抑制することができる。
【００５９】
請求項２５に示す発明によれば、詰替用液体袋を交換する際の開栓時に、該詰替用液体袋内の液体の空気接触を防ぐことができるので、品質低下を抑制することができる。詰替用液体袋の口部を閉塞した口部被覆膜部を破断乃至は穿孔することで開栓することができる。
【００６０】
請求項２６に示す発明によれば、液密性及び気密性の保持が容易である。
【００６１】
請求項２７に示す発明によれば、液体取出装置のポンプ体に連通する吸引管を口部被覆膜部に突き刺す際に、容易且つ確実に穿孔することができる。
【００６２】
請求項２８に示す発明によれば、液体取出装置のポンプ体に連通する吸引管を口部被覆膜部に突き刺す際に、容易且つ確実に穿孔することができる。
【００６３】
請求項２９に示す発明によれば、詰替用液体袋の口部と該口部に挿通されるポンプ体の一部との間に間隙が有る既存の製品を用いる場合であっても、この両者の間に挿通される筒状部材の厚みを適宜調整することによりエアレスタイプに適用したり変換することができる。
【図面の簡単な説明】
【００６４】
【図１】本発明に係る詰替用液体袋を用いた液体取出装置の一実施例を示す構成説明図
【図２】詰替用液体袋の口部（断面図として示す）の内周面とポンプ挿通部の外周面との液密・気密構成を示す要部説明図
【図３】詰替用液体袋の口部と外容器蓋体部（断面図として示す）との取付構成の一例を示す要部説明図
【図４】図３のＩＶ方向から見た外容器蓋体部の断面図
【図５】図３のＶ方向から見た外容器蓋体部の底面図
【図６】図３のＶＩ方向から見た外容器蓋体部の平面図
【図７】本発明の液体取出装置に用いられるポンプ体及び吸引管の他の例を示す構成説明図
【図８】本発明に用いることができるホルダー容器の一例を示す側面図
【図９】本発明に用いることができるホルダー容器の他の例を示す正面図
【図１０】本発明に用いることができるホルダー容器の他の例を示す正面図
【図１１】本発明に用いることができるホルダー容器の他の例を示す正面図
【図１２】詰替用液体袋の口部を閉塞する口部蓋体の一例を示す断面図
【図１３】詰替用液体袋の口部を閉塞する口部蓋体の他の例を示す断面図
【図１４】詰替用液体袋の口部を閉塞する口部被覆膜部の一例を示す断面図
【図１５】液密・気密構成の他の実施例を示す要部説明図
【発明を実施するための形態】
【００６５】
本発明に係る詰替用液体袋を用いた液体取出装置（以下、単に「液体取出装置」ということもある。）について図面に基づき詳細に説明する。
【００６６】
本発明は、シャンプー、コンディショナー、トリートメント、その他の頭髪用品をはじめ、液状石鹸、化粧液、歯磨き、ソース、マヨネーズ、食用油、機械油、その他の各種液体（ゲル状或いはゼリー状等の高粘度液体を含む）が充填された液体袋から前記液体をポンプ体によって吸引・注出するに従って、前記詰替用液体袋内の負圧化に伴って収縮（縮小）していく構成のエアレスタイプの液体取出装置である。液体袋内の液体の吸引・注出によって空になった後は、満充填された新規の詰替用液体袋に交換して使い続けることができる構成である。
【００６７】
以下、本発明の液体取出装置の実施例について、図１〜図６に基づき説明する。
【００６８】
先ず、図１に示すように、本発明の液体取出装置１は、液体を収納した詰替用液体袋２と、該詰替用液体袋２の口部２１に装着される液体の吸引・注出手段であるポンプ体３と、該ポンプ体３の吸引部に連通状態で取り付けられると共に前記詰替用液体袋２の内部に挿通配設される吸引管４と、を有して成り、
前記ポンプ体３の動作によって前記詰替用液体袋２内の液体を吸引・注出するに従って、前記詰替用液体袋２内の負圧化に伴って収縮（縮小）していくエアレスタイプ構成を有し、
前記詰替用液体袋２の口部２１への前記ポンプ体３の装着構成が、図２に示すように、該ポンプ体３の少なくとも一部が前記口部２１に挿通された状態であり、この挿通された部分（図１、図６に示す実施例ではポンプ挿通部３１）の外周面３１Ａが前記口部２１の内周面２１Ａに密接して液密・気密状態と成る構成である。
【００６９】
本発明に用いられる詰替用液体袋２は、所謂リフィール容器であり、好ましい構成としては、この種のエアレスタイプに用いられる袋体として公知公用のものを特別の制限無く用いることができ、例えば、ポリプロピレンフィルム、ポリエチレンフィルム、ナイロンフィルム等のフィルム単層体、或いはこれら複数のフィルム積層体から成る酸素透過抑制積層フィルム等の周囲をヒートシール手段により封止した構成を有する袋体を挙げることができる。
【００７０】
本発明に用いられるポンプ体３の好ましい構成としては、この種のエアレスタイプの液体取出装置に用いられる公知公用のポンプを特別の制限なく用いることができ、上部の押下部を押込操作することで吸引管４並びにポンプ動作部内のピストン・シリンダ内を通って詰替用液体袋２内の液体を吐出口から吐出する構成のものを挙げることができる。尚、ポンプ体３のポンプ構成については、この種の液体取出装置に用いられる一般的なポンプ構成であるため、本明細書ではポンプ体３のポンプ機構についての説明は省略する。
【００７１】
図１〜図６に示す本実施例では、詰替用液体袋２が、外容器１０に収納された状態で用いられる構成である。
前記外容器１０は、詰替用液体袋２を収納する外容器本体部１１と、該外容器本体部１１の蓋体である外容器蓋体部１２と、を有して成り、前記ポンプ体３が外容器蓋体部１２の上面側部分に取り付けられた状態であると共に前記詰替用液体袋２の口部２１が前記外容器蓋体部１２の下面側部分に取り付けられた状態で用いられる構成である。
【００７２】
詰替用液体袋２の口部２１を外容器蓋体部１２の下面側部分に取り付ける構成としては、前記詰替用液体袋２の口部２１の外周に鍔状の係合部２１Ｂが設けられており、この係合部２１Ｂの鍔状の部分が前記口部２１の開口方向に直交する方向（図１（Ａ）及び図３の矢符Ｘ参照）からスライドして係合する被係合部１２Ａが前記外容器蓋体部１２の下面側部分に設けられた構成（図４、図５、図６参照）を挙げることができる。
【００７３】
ポンプ体３を外容器蓋体１２の上面側部分に取り付ける構成としては、本実施例では図１（Ｂ）及び図２に示すように、外容器蓋体部１２の上面側部分に螺合取付された状態となる構成を挙げることができる。
【００７４】
外容器１０の好ましい構成としては、この種の液体取出装置１に用いられる公知公用の合成樹脂ボトルタイプの外容器等を特別の制限なく用いることができる。
【００７５】
以上の構成を有する本発明の液体取出装置１によれば、ポンプ体３の一部（ポンプ挿通部３１）の外周面３１Ａに詰替用液体袋２の口部２１の内周面２１Ａが密接する構成により、容易且つ確実に液密・気密状態での液体注出を行うことができる。詰替用液体袋２の口部２１は、内側や内側奥部に特定の構成を配設する等の複雑な構造を採る必要がなく、単に口部２１の内周面２１Ａを該口部２１にポンプ体３を挿通した際に該ポンプ体３の一部（ポンプ挿通部３１）の外周面３１Ａに密接するように構成すればよいので、極めて低コストに提供可能である。
【００７６】
以上、本発明に係る詰替用液体袋２を用いた液体取出装置１について実施例に基づき説明したが、本発明は上記実施例に限定されず、本発明の範囲内において他の態様を採ることもできる。
【００７７】
例えば、詰替用液体袋２の口部２１を外容器蓋体部１２の下面側部分に取り付ける構成としては、上記実施例の係合部２１Ｂと被係合部１２Ａによる係合構成に限らず、前記詰替用液体袋２の口部２１の外周に螺合部を設け、この螺合部が螺合する被螺合部を外容器蓋体部１２の下面側部分に設けた螺合構成とすることもできる（図示は省略）。
【００７８】
また、１回転以上の回転が伴う螺合による取付構成より簡易な１回転未満の回動によって取り付ける構成として、詰替用液体袋２の口部２１の外周に回動係止部を設け、この回動係止部を１回転未満の回動によって係止される被回動係止部を外容器蓋体部１２の下面側部分に設けた回動係止構成とすることもできる（図示は省略）。
【００７９】
更に、詰替用液体袋２の口部２１が嵌合する被嵌合部を外容器蓋体部１２の下面側部分に設けることにより、口部２１を圧入する等によって嵌合させることにより取付ける嵌合構成とすることもできる（図示は省略）。
【００８０】
また、ポンプ体３の一部の外周面３１Ａに詰替用液体袋２の口部２１の内周面２１Ａを液密・気密状態で密接させる構成としては、上記実施例のポンプ体２の挿通部３１の外周面３１Ａを詰替用液体袋２の口部２１の内周面２１Ａに密接させる構成に限らず、図７に示すように、ポンプ体３の挿通部３１と詰替用液体袋２の口部２１との間に吸引管４の基部４１を介在させること、即ち、挿通部３１の外周面３１Ａに吸引管４の基部４１の内周面を密接させた状態とすると共に基部４１の外周面を口部２１の内周面２１Ａに密接させた状態とすることによって液密・気密状態とする構成とすることもできる。かかる構成によれば、ポンプ体３に取り付けられる吸液管４の口部２１への挿通部分である基部４１の外周面と、この挿通部分である基部４１が挿通される口部２１の内周面２１Ａと、が密接するように構成するだけで液密・気密構成を得ることができる。特に、吸液管４については従来品を用い、詰替用液体袋２の口部２１を前記吸液管４と液密・気密構成となるように形成することで、より低コスト化を図ることができる。
【００８１】
また、上記実施例では、詰替用液体袋２を外容器１０に収容する構成としていたが、外容器１０に替えて図８、図９、図１０、図１１に示すようなホルダー容器１３に保持された状態で用いられる構成とすることもできる。
【００８２】
ホルダー容器１３は、風呂床や洗面台に載置する台座部１４と、該台座部１４から立設する立設部１５と、前記台座部１４の上方に位置するように前記立設部１５の上部に連設された保持取付部１６と、を有して成り、前記ポンプ体３が前記保持取付部１６の上面側部分に取り付けられた状態であると共に前記詰替用液体袋２の口部２１が前記保持取付部１６の下面側部分に取り付けられた状態で用いられる構成である。
【００８３】
詰替用液体袋２の口部２１を保持取付部１６の下面側部分に取付ける構成としては、例えば、口部２１の外周に図1〜図3に示す実施例と同様に鍔状の係合部２１Ｂを設け、図１０及び図１１に示すように、この係合部２１Ｂの鍔状の部分が係合する切欠状の被係合部１６Ａを保持取付部１６に設け、係合部２１Ｂを被係合部１６Ａの開口方向からスライドして係合させることにより保持取付部１６の下面側部分に詰替用液体袋２の口部２１を取付ける構成を挙げることができる。
【００８４】
また、詰替用液体袋２の口部２１の外周に螺合部を設け、この螺合部が螺合する被螺合部を保持取付部１６の下面側部分に設けた螺合構成とすることもできる（図示は省略）。
【００８５】
更に、１回転以上の回転が伴う螺合による取付構成より簡易な１回転未満の回動によって取り付ける構成として、詰替用液体袋２の口部２１の外周に回動係止部を設け、この回動係止部を１回転未満の回動によって係止される被回動係止部を保持取付部１６の下面側部分に設けた回動係止構成とすることもできる（図示は省略）。
【００８６】
更にまた、詰替用液体袋２の口部２１が嵌合する被嵌合部を保持取付部１６の下面側部分に設けることにより、口部２１を圧入する等によって嵌合させることにより取付ける嵌合構成とすることもできる（図示は省略）。
【００８７】
ポンプ体３を保持取付部１６の上面側部分に取り付ける構成としては、保持取付部１６の上面側部分に被螺合部を設け、この被螺合部にポンプ体３を螺合状態で取付ける構成を挙げることができる。
【００８８】
本発明に用いられる詰替用液体袋２は、液体取出装置１に取り付けられる前の段階として、口部２１が品質上や衛生上の観点から密封状態で封止されたものであることが好ましく、封止構成としては、口部蓋体で封止する構成が一般的である。
【００８９】
口部蓋体で封止する構成としては、例えば、図１２に示すように、詰替用液体袋２の口部２１を閉塞する口部蓋体５であって、この口部蓋体５が、可撓性を有する合成樹脂製であり、口部２１の縁に止着される口部蓋体本体部５１と、該口部蓋体本体部５１と一体構成であり且つ前記口部２１の開口を被覆する口部蓋体被覆膜部５２と、を有して成り、該口部蓋体被覆膜部５２が、破断乃至は穿孔により開栓された状態となる薄膜である構成を挙げることができる。この構成の場合、口部蓋体本体部５１と口部蓋体被覆膜部５２とから成る口部蓋体５はポリエチレン製であることが好ましく、また、口部蓋体被覆膜部５２の厚みは破断乃至は穿孔による開栓に適した０．６ｍｍ以下であることが好ましい。
【００９０】
口部蓋体で封止する別なる構成としては、例えば、図１３に示すように、詰替用液体袋２の口部２１を閉塞する口部蓋体５であって、この口部蓋体５が、可撓性を有する合成樹脂製であり、口部２１の縁に止着される口部蓋体本体部５１と、該口部蓋体本体部５１に固着された状態で前記口部２１の開口を被覆する口部蓋体被覆膜部５２と、を有して成り、該口部蓋体被覆膜部５２が、破断乃至は穿孔により開栓された状態となる薄膜である構成を挙げることができる。この構成の場合、口部蓋体本体部５２はポリエチレン製であることが好ましく、また、口部蓋体被覆膜部５２は未延伸ナイロンフィルムとポリオレフィン系樹脂フィルムを含む積層フィルムで構成されていることが好ましい。更に、口部蓋体被覆膜部５２の厚みは破断乃至は穿孔による開栓に適した０．１ｍｍ以下であることが好ましい。
【００９１】
上記した口部蓋体５で封止する構成とする場合は、口部蓋体５を詰替用液体袋２の口部２１に止着して封止した状態のまま液体取出装置１に用いて吸引管４によって突き刺すことにより開栓された状態となる構成とすれば、詰替用液体袋２のバージン性を維持した状態のままリフィル交換が可能となるので衛生面・品質保持面で極めて有効である。
【００９２】
更に、詰替用液体袋２の口部２１を封止する別なる構成として、例えば、図１４に示すように、上記した口部蓋体５を用いるこ
となく口部被覆膜部５３を口部２１に直接固着することにより閉塞する構成を挙げることができる。この構成の場合、口部被覆膜部５３は未延伸ナイロンフィルムとポリオレフィン系樹脂フィルムを含む積層フィルムで構成されていることが好ましく、また、口部被覆膜部５３の厚みは破断乃至は穿孔による開栓に適した０．１ｍｍ以下であることが好ましい。
【００９３】
上記した口部２１に口部被覆膜部５３を固着して封止する構成とする場合も、口部被覆膜部５３が口部２１に固着された状態のまま液体取出装置１に用いて吸引管４によって突き刺すことにより開栓された状態となる構成とすれば、詰替用液体袋２のバージン性を維持した状態のままリフィル交換が可能となるので衛生面・品質保持面で極めて有効である。
【００９４】
更にまた、図１５に示すように、詰替用液体袋２の口部２１の内側、又は、この口部２１に挿通されるポンプ体３の少なくとも一部の外側、即ち、口部２１とポンプ体３１との間に、筒状部材６が挿通されており、この筒状部材６の外周面と前記口部２１の内周面２１Ａとが密接すると共に、この筒状部材６の内周面と前記ポンプ体３の少なくとも一部の外周面３１Ａとが密接する構成によって液密・気密状態と成る構成とすることもできる。かかる構成によれば、詰替用液体袋２の口部２１と該口部２１に挿通されるポンプ体３の一部との間に間隙が有る既存の製品を用いる場合であっても、この両者の間に挿通される筒状部材６の厚みを適宜調整することによりエアレスタイプに適用したり変換することができる。
【符号の説明】
【００９５】
１  液体取出装置
１０  外容器
１１  外容器本体部
１２  外容器蓋体部
１２Ａ  被係合部
１３  ホルダー容器
１４  台座部
１５  立設部
１６  保持取付部
１６Ａ  被係合部
２  詰替用液体袋
２１  口部
２１Ａ  内周面
２１Ｂ  係合部
３  ポンプ体
３１  ポンプ挿通部
３１Ａ  外周面
４  吸引管
４１  基部  
５  口部蓋体
５１  口部蓋体本体部
５２  口部蓋体被覆膜部
５３  口部被覆膜部
６  筒状部材
【図１】
2019142571.tif 000003
【図２】
2019142571.tif 000004
【図３】
2019142571.tif 000005
【図４】
2019142571.tif 000006
【図５】
2019142571.tif 000007
【図６】
2019142571.tif 000008
【図７】
2019142571.tif 000009
【図８】
2019142571.tif 000010
【図９】
2019142571.tif 000011
【図１０】
2019142571.tif 000012
【図１１】
2019142571.tif 000013
【図１２】
2019142571.tif 000014
【図１３】
2019142571.tif 000015
【図１４】
2019142571.tif 000016
【図１５】
2019142571.tif 000017
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
液体を収納した詰替用液体袋と、該詰替用液体袋の口部に装着される液体の吸引・注出手段であるポンプ体と、該ポンプ体に取り付けられて該ポンプ体の吸引部に連通すると共に前記詰替用液体袋の内部に挿通配設される吸引管と、を有して成り、  前記ポンプ体の動作によって前記詰替用液体袋内の液体を吸引・注出するに従って、前記詰替用液体袋内の負圧化に伴って収縮（縮小）していく構成のエアレスタイプの液体取出装置であり、  前記詰替用液体袋の口部への前記ポンプ体の装着構成が、該ポンプ体の少なくとも一部が前記口部に挿通された状態であり、この挿通された部分の外周面が前記口部の内周面に密接して液密・気密状態と成る構成であり、前記詰替用液体袋が、下記構成（１）に示す外容器に収納された状態、又は、下記構成（２）に示すホルダー容器に保持された状態で用いられる構成である、詰替用液体袋を用いた液体取出装置において、 前記詰替用液体袋の口部は、外容器蓋体部又は保持取付部の下面に、スライド係合・螺合・回動係止・嵌合のいずれかの取付構成によって取り付ける構成であり、前記ポンプ体は、外容器蓋体部又は保持取付部の上面に螺合構成によって取り付ける構成であり、外容器蓋体部又は保持取付部に、詰替用液体袋と、ポンプ体と、を別々に各々取付けることによって、詰替用液体袋の口部にポンプ体が液密・気密状態で装着される構成であること、を特徴とする詰替用液体袋を用いた液体取出装置。 構成（１）外容器が、前記詰替用液体袋を収納する外容器本体部と、該外容器本体部の蓋体である外容器蓋体部と、を有して成り、 前記ポンプ体が前記外容器蓋体部の上面側部分に取り付けられた状態であると共に前記詰替用液体袋の口部が前記外容器蓋体部の下面側部分に取り付けられた状態で用いられる構成 構成（２）ホルダー容器が、風呂床や洗面台に載置する台座部と、該台座部から立設する立設部と、前記台座部の上方に位置するように前記立設部の上部に連設された保持取付部と、を有して成り、 前記ポンプ体が前記保持取付部の上面側部分に取り付けられた状態であると共に前記詰替用液体袋の口部が前記保持取付部の下面側部分に取り付けられた状態で用いられる構成 
【請求項２】
前記ポンプ体の前記口部に挿通された部分の外周面が、前記口部の内周面に密接して液密・気密状態と成る構成であることを特徴とする請求項１に記載の詰替用液体袋を用いた液体取出装置。
【請求項３】
前記ポンプ体の少なくとも一部と共に前記ポンプ体に取り付けられた吸引管の少なくとも一部が前記口部に挿通された状態であり、前記吸引管の前記口部に挿通された部分の外周面が、前記口部の内周面に密接して液密・気密状態と成る構成であることを特徴とする請求項１に記載の詰替用液体袋を用いた液体取出装置。
【請求項４】
前記詰替用液体袋の口部の外周に鍔状の係合部が設けられており、この係合部の鍔状の部分が前記口部の開口方向に直交する方向からスライドして係合する被係合部が前記外容器蓋体部の下面側部分に設けられた構成であることを特徴とする請求項１〜３のいずれかに記載の詰替用液体袋を用いた液体取出装置。
【請求項５】
前記詰替用液体袋の口部の外周に螺合部が設けられており、この螺合部が螺合する被螺合部が前記外容器蓋体部の下面側部分に設けられた構成であることを特徴とする請求項１〜３のいずれかに記載の詰替用液体袋を用いた液体取出装置。
【請求項６】
前記詰替用液体袋の口部の外周に回動係止部が設けられており、この回動係止部が係止する被回動係止部が前記外容器蓋体部の下面側部分に設けられた構成であることを特徴とする請求項１〜３のいずれかに記載の詰替用液体袋を用いた液体取出装置。
【請求項７】
前記詰替用液体袋の口部が嵌合する被嵌合部が前記外容器蓋体部の下面側部分に設けられた構成であることを特徴とする請求項１〜３のいずれかに記載の詰替用液体袋を用いた液体取出装置。
【請求項８】
前記詰替用液体袋の口部の外周に鍔状の係合部が設けられており、この係合部の鍔状の部分が係合する切欠状の被係合部が前記保持取付部に設けられており、係合部を被係合部の開口方向からスライドして係合させることにより前記保持取付部の下面側部分に前記詰替用液体袋の口部が取付可能な構成であることを特徴とする請求項１〜３のいずれかに記載の詰替用液体袋を用いた液体取出装置。
【請求項９】
前記詰替用液体袋の口部の外周に螺合部が設けられており、この螺合部が螺合する被螺合部が前記保持取付部の下面側部分に設けられた構成であることを特徴とする請求項１〜３のいずれかに記載の詰替用液体袋を用いた液体取出装置。
【請求項１０】
前記詰替用液体袋の口部の外周に回動係止部が設けられており、この回動係止部が係止する被回動係止部が前記保持取付部の下面側部分に設けられた構成であることを特徴とする請求項１〜３のいずれかに記載の詰替用液体袋を用いた液体取出装置。
【請求項１１】
前記詰替用液体袋の口部が嵌合する被嵌合部が前記保持取付部の下面側部分に設けられた構成であることを特徴とする請求項１〜３のいずれかに記載の詰替用液体袋を用いた液体取出装置。
【請求項１２】
前記詰替用液体袋の口部が口部蓋体で閉塞されており、  この口部蓋体が、可撓性を有する合成樹脂製であり、前記口部の縁に止着される口部蓋体本体部と、該口部蓋体本体部と一体構成であり且つ前記口部の開口を被覆する口部蓋体被覆膜部と、を有して成り、  該口部蓋体被覆膜部が、破断乃至は穿孔により開栓された状態となる薄膜構成であることを特徴とする請求項１〜１１のいずれかに記載の詰替用液体袋を用いた液体取出装置。
【請求項１３】
前記口部蓋体がポリエチレン製であることを特徴とする請求項１２に記載の詰替用液体袋を用いた液体取出装置。
【請求項１４】
前記口部蓋体被覆膜部の厚みが０．６ｍｍ以下であることを特徴とする請求項１２又は１３に記載の詰替用液体袋を用いた液体取出装置。
【請求項１５】
前記詰替用液体袋の口部が口部蓋体で閉塞されており、  この口部蓋体が、可撓性を有する合成樹脂製であり、前記口部の縁に止着される口部蓋体本体部と、該口部蓋体本体部に固着された状態で前記口部の開口を被覆する口部蓋体被覆膜部と、を有して成り、  該口部蓋体被覆膜部が、破断乃至は穿孔により開栓された状態となる薄膜構成であることを特徴とする請求項１〜１１のいずれかに記載の詰替用液体袋を用いた液体取出装置。
【請求項１６】
前記口部蓋体本体部がポリエチレン製であることを特徴とする請求項１５に記載の詰替用液体袋を用いた液体取出装置。
【請求項１７】
前記口部蓋体被覆膜部が未延伸ナイロンフィルムとポリオレフィン系樹脂フィルムを含む積層フィルムで構成されていることを特徴とする請求項１５又は１６に記載の詰替用液体袋を用いた液体取出装置。
【請求項１８】
前記口部蓋体被覆膜部の厚みが０．１ｍｍ以下であることを特徴とする請求項１５又は１６に記載の詰替用液体袋を用いた液体取出装置。
【請求項１９】
該口部蓋体が、前記詰替用液体袋の口部に止着された状態のまま液体取出装置に用いられて前記吸引管が突き刺されて開栓された状態となる構成であることを特徴とする請求項１５〜１８のいずれかに記載の詰替用液体袋を用いた液体取出装置。
【請求項２０】
前記詰替用液体袋の口部が該口部に固着した口部被覆膜部により閉塞されており、  該口部被覆膜部が、破断乃至は穿孔により開栓された状態となる薄膜構成であることを特徴とする請求項１〜１１のいずれかに記載の詰替用液体袋を用いた液体取出装置。
【請求項２１】
前記口部被覆膜部が未延伸ナイロンフィルムとポリオレフィン系樹脂フィルムを含む積層フィルムで構成されていることを特徴とする請求項２０に記載の詰替用液体袋を用いた液体取出装置。
【請求項２２】
前記口部被覆膜部の厚みが０．１ｍｍ以下であることを特徴とする請求項２０又は２１に記載の詰替用液体袋を用いた液体取出装置。
【請求項２３】
該口部被覆膜部が、前記詰替用液体袋の口部に固着された状態のまま液体取出装置に用いられて前記吸引管が突き刺されて開栓された状態となる構成であることを特徴とする請求項２０〜２２のいずれかに記載の詰替用液体袋を用いた液体取出装置。
【請求項２４】
前記詰替用液体袋の口部の内側、又は、この口部に挿通される前記ポンプ体の少なくとも一部の外側に、筒状部材が挿通されており、この筒状部材の外周面と前記口部の内周面とが密接すると共に、この筒状部材の内周面と前記ポンプ体の少なくとも一部の外周面とが密接する構成によって液密・気密状態と成る構成であること、を特徴とする請求項１〜２３のいずれかに記載の詰替用液体袋を用いた液体取出装置。 
【手続補正２】
【補正対象書類名】明細書
【補正対象項目名】００１１
【補正方法】変更
【補正の内容】
【００１１】１．液体を収納した詰替用液体袋と、該詰替用液体袋の口部に装着される液体の吸引・注出手段であるポンプ体と、該ポンプ体に取り付けられて該ポンプ体の吸引部に連通すると共に前記詰替用液体袋の内部に挿通配設される吸引管と、を有して成り、  前記ポンプ体の動作によって前記詰替用液体袋内の液体を吸引・注出するに従って、前記詰替用液体袋内の負圧化に伴って収縮（縮小）していく構成のエアレスタイプの液体取出装置であり、  前記詰替用液体袋の口部への前記ポンプ体の装着構成が、該ポンプ体の少なくとも一部が前記口部に挿通された状態であり、この挿通された部分の外周面が前記口部の内周面に密接して液密・気密状態と成る構成であり、前記詰替用液体袋が、下記構成（１）に示す外容器に収納された状態、又は、下記構成（２）に示すホルダー容器に保持された状態で用いられる構成である、詰替用液体袋を用いた液体取出装置において、 前記詰替用液体袋の口部は、外容器蓋体部又は保持取付部の下面に、スライド係合・螺合・回動係止・嵌合のいずれかの取付構成によって取り付ける構成であり、前記ポンプ体は、外容器蓋体部又は保持取付部の上面に螺合構成によって取り付ける構成であり、外容器蓋体部又は保持取付部に、詰替用液体袋と、ポンプ体と、を別々に各々取付けることによって、詰替用液体袋の口部にポンプ体が液密・気密状態で装着される構成であること、を特徴とする詰替用液体袋を用いた液体取出装置。 構成（１）外容器が、前記詰替用液体袋を収納する外容器本体部と、該外容器本体部の蓋体である外容器蓋体部と、を有して成り、 前記ポンプ体が前記外容器蓋体部の上面側部分に取り付けられた状態であると共に前記詰替用液体袋の口部が前記外容器蓋体部の下面側部分に取り付けられた状態で用いられる構成 構成（２）ホルダー容器が、風呂床や洗面台に載置する台座部と、該台座部から立設する立設部と、前記台座部の上方に位置するように前記立設部の上部に連設された保持取付部と、を有して成り、 前記ポンプ体が前記保持取付部の上面側部分に取り付けられた状態であると共に前記詰替用液体袋の口部が前記保持取付部の下面側部分に取り付けられた状態で用いられる構成
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】４．前記詰替用液体袋の口部の外周に鍔状の係合部が設けられており、この係合部の鍔状の部分が前記口部の開口方向に直交する方向からスライドして係合する被係合部が前記外容器蓋体部の下面側部分に設けられた構成であることを特徴とする上記１〜３のいずれかに記載の詰替用液体袋を用いた液体取出装置。
【手続補正６】
【補正対象書類名】明細書
【補正対象項目名】００１７
【補正方法】変更
【補正の内容】
【００１７】５．前記詰替用液体袋の口部の外周に螺合部が設けられており、この螺合部が螺合する被螺合部が前記外容器蓋体部の下面側部分に設けられた構成であることを特徴とする上記１〜３のいずれかに記載の詰替用液体袋を用いた液体取出装置。
【手続補正７】
【補正対象書類名】明細書
【補正対象項目名】００１８
【補正方法】変更
【補正の内容】
【００１８】６．前記詰替用液体袋の口部の外周に回動係止部が設けられており、この回動係止部が係止する被回動係止部が前記外容器蓋体部の下面側部分に設けられた構成であることを特徴とする上記１〜３のいずれかに記載の詰替用液体袋を用いた液体取出装置。
【手続補正８】
【補正対象書類名】明細書
【補正対象項目名】００１９
【補正方法】変更
【補正の内容】
【００１９】７．前記詰替用液体袋の口部が嵌合する被嵌合部が前記外容器蓋体部の下面側部分に設けられた構成であることを特徴とする上記１〜３のいずれかに記載の詰替用液体袋を用いた液体取出装置。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】８．前記詰替用液体袋の口部の外周に鍔状の係合部が設けられており、この係合部の鍔状の部分が係合する切欠状の被係合部が前記保持取付部に設けられており、係合部を被係合部の開口方向からスライドして係合させることにより前記保持取付部の下面側部分に前記詰替用液体袋の口部が取付可能な構成であることを特徴とする上記１〜３のいずれかに記載の詰替用液体袋を用いた液体取出装置。
【手続補正１２】
【補正対象書類名】明細書
【補正対象項目名】００２３
【補正方法】変更
【補正の内容】
【００２３】９．前記詰替用液体袋の口部の外周に螺合部が設けられており、この螺合部が螺合する被螺合部が前記保持取付部の下面側部分に設けられた構成であることを特徴とする上記１〜３のいずれかに記載の詰替用液体袋を用いた液体取出装置。
【手続補正１３】
【補正対象書類名】明細書
【補正対象項目名】００２４
【補正方法】変更
【補正の内容】
【００２４】１０．前記詰替用液体袋の口部の外周に回動係止部が設けられており、この回動係止部が係止する被回動係止部が前記保持取付部の下面側部分に設けられた構成であることを特徴とする上記１〜３のいずれかに記載の詰替用液体袋を用いた液体取出装置。
【手続補正１４】
【補正対象書類名】明細書
【補正対象項目名】００２５
【補正方法】変更
【補正の内容】
【００２５】１１．前記詰替用液体袋の口部が嵌合する被嵌合部が前記保持取付部の下面側部分に設けられた構成であることを特徴とする上記１〜３のいずれかに記載の詰替用液体袋を用いた液体取出装置。
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】変更
【補正の内容】
【００２７】１２．前記詰替用液体袋の口部が口部蓋体で閉塞されており、  この口部蓋体が、可撓性を有する合成樹脂製であり、前記口部の縁に止着される口部蓋体本体部と、該口部蓋体本体部と一体構成であり且つ前記口部の開口を被覆する口部蓋体被覆膜部と、を有して成り、  該口部蓋体被覆膜部が、破断乃至は穿孔により開栓された状態となる薄膜構成であることを特徴とする上記１〜１１のいずれかに記載の詰替用液体袋を用いた液体取出装置。
【手続補正１７】
【補正対象書類名】明細書
【補正対象項目名】００２８
【補正方法】変更
【補正の内容】
【００２８】１３．前記口部蓋体がポリエチレン製であることを特徴とする上記１２に記載の詰替用液体袋を用いた液体取出装置。
【手続補正１８】
【補正対象書類名】明細書
【補正対象項目名】００２９
【補正方法】変更
【補正の内容】
【００２９】１４．前記口部蓋体被覆膜部の厚みが０．６ｍｍ以下であることを特徴とする上記１２又は１３に記載の詰替用液体袋を用いた液体取出装置。
【手続補正１９】
【補正対象書類名】明細書
【補正対象項目名】００３０
【補正方法】変更
【補正の内容】
【００３０】１５．前記詰替用液体袋の口部が口部蓋体で閉塞されており、  この口部蓋体が、可撓性を有する合成樹脂製であり、前記口部の縁に止着される口部蓋体本体部と、該口部蓋体本体部に固着された状態で前記口部の開口を被覆する口部蓋体被覆膜部と、を有して成り、  該口部蓋体被覆膜部が、破断乃至は穿孔により開栓された状態となる薄膜構成であることを特徴とする上記１〜１１のいずれかに記載の詰替用液体袋を用いた液体取出装置。
【手続補正２０】
【補正対象書類名】明細書
【補正対象項目名】００３１
【補正方法】変更
【補正の内容】
【００３１】１６．前記口部蓋体本体部がポリエチレン製であることを特徴とする上記１５に記載の詰替用液体袋を用いた液体取出装置。
【手続補正２１】
【補正対象書類名】明細書
【補正対象項目名】００３２
【補正方法】変更
【補正の内容】
【００３２】１７．前記口部蓋体被覆膜部が未延伸ナイロンフィルムとポリオレフィン系樹脂フィルムを含む積層フィルムで構成されていることを特徴とする上記１５又は１６に記載の詰替用液体袋を用いた液体取出装置。
【手続補正２２】
【補正対象書類名】明細書
【補正対象項目名】００３３
【補正方法】変更
【補正の内容】
【００３３】１８．前記口部蓋体被覆膜部の厚みが０．１ｍｍ以下であることを特徴とする上記１５又は１６に記載の詰替用液体袋を用いた液体取出装置。
【手続補正２３】
【補正対象書類名】明細書
【補正対象項目名】００３４
【補正方法】変更
【補正の内容】
【００３４】１９．該口部蓋体が、前記詰替用液体袋の口部に止着された状態のまま液体取出装置に用いられて前記吸引管が突き刺されて開栓された状態となる構成であることを特徴とする上記１５〜１８のいずれかに記載の詰替用液体袋を用いた液体取出装置。
【手続補正２４】
【補正対象書類名】明細書
【補正対象項目名】００３５
【補正方法】変更
【補正の内容】
【００３５】２０．前記詰替用液体袋の口部が該口部に固着した口部被覆膜部により閉塞されており、  該口部被覆膜部が、破断乃至は穿孔により開栓された状態となる薄膜構成であることを特徴とする上記１〜１１のいずれかに記載の詰替用液体袋を用いた液体取出装置。
【手続補正２５】
【補正対象書類名】明細書
【補正対象項目名】００３６
【補正方法】変更
【補正の内容】
【００３６】２１．前記口部被覆膜部が未延伸ナイロンフィルムとポリオレフィン系樹脂フィルムを含む積層フィルムで構成されていることを特徴とする上記２０に記載の詰替用液体袋を用いた液体取出装置。
【手続補正２６】
【補正対象書類名】明細書
【補正対象項目名】００３７
【補正方法】変更
【補正の内容】
【００３７】２２．前記口部被覆膜部の厚みが０．１ｍｍ以下であることを特徴とする上記２０又は２１に記載の詰替用液体袋を用いた液体取出装置。
【手続補正２７】
【補正対象書類名】明細書
【補正対象項目名】００３８
【補正方法】変更
【補正の内容】
【００３８】２３．該口部被覆膜部が、前記詰替用液体袋の口部に固着された状態のまま液体取出装置に用いられて前記吸引管が突き刺されて開栓された状態となる構成であることを特徴とする上記２０〜２２のいずれかに記載の詰替用液体袋を用いた液体取出装置。
【手続補正２８】
【補正対象書類名】明細書
【補正対象項目名】００３９
【補正方法】変更
【補正の内容】
【００３９】２４．前記詰替用液体袋の口部の内側、又は、この口部に挿通される前記ポンプ体の少なくとも一部の外側に、筒状部材が挿通されており、この筒状部材の外周面と前記口部の内周面とが密接すると共に、この筒状部材の内周面と前記ポンプ体の少なくとも一部の外周面とが密接する構成によって液密・気密状態と成る構成であること、を特徴とする上記１〜２３のいずれかに記載の詰替用液体袋を用いた液体取出装置。